(57)【要約】【課題】複数の３次元（３−Ｄ）画像表示装置のための同期信号を生成する方法及び装置を開示する。【解決手段】この方法及び装置は、同期信号に関連するタイミング信号に従ってそれぞれのコンテンツを同期的に表示するために複数の３−Ｄ表示装置が利用する同期信号を生成するように構成された同期化マネージャを含む。【選択図】なし【特許請求の範囲】
【請求項１】
複数の３次元（３−Ｄ）表示装置のための同期信号を生成する装置であって、前記同期信号に従ってコンテンツを同期的に表示するために前記複数の３−Ｄ表示装置が利用する前記同期信号を生成するように構成された同期化マネージャを備える、
ことを特徴とする装置。
【請求項２】
前記同期化マネージャは、前記複数の３−Ｄ表示装置の少なくとも１つに存在する、
ことを特徴とする請求項１に記載の装置。
【請求項３】
前記同期化マネージャは、前記同期信号に基づいて、３−Ｄコンテンツ視聴装置が前記複数の３−Ｄ表示装置の少なくとも１つに同期するために利用するメガネ制御信号を生成する、
ことを特徴とする請求項１に記載の装置。
【請求項４】
前記同期化マネージャは、定期的に、又は前記複数の３−Ｄ表示装置の１つ又はそれ以上からの前記同期信号を求める要求に応答して、前記複数の３−Ｄ表示装置の１つ又はそれ以上に前記同期信号を送信するようにさらに構成される、
ことを特徴とする請求項１に記載の装置。
【請求項５】
前記同期信号を生成して前記複数の３−Ｄ表示装置のうちの他の３−Ｄ表示装置に送信する少なくとも１つのマスター３−Ｄ表示装置を前記複数の３−Ｄ表示装置から登録するように構成された装置マネージャをさらに備える、
ことを特徴とする請求項１に記載の装置。
【請求項６】
前記装置マネージャは、前記少なくとも１つのマスター３−Ｄ表示装置を、メガネ制御信号を生成して１又はそれ以上のコンテンツ視聴装置に送信するように構成するようにさらに構成される、
ことを特徴とする請求項５に記載の装置。
【請求項７】
同期信号を受け取るように構成された受信機と、
コンテンツプロセッサと、
を備え、前記コンテンツプロセッサは、
前記同期信号に基づいて第１のタイミング信号を決定し、
前記第１のタイミング信号に従ってコンテンツを表示し、
前記同期信号を受け取らなかった場合、デフォルトタイミング信号に従って前記コンテンツを表示する、
ように構成される、
ことを特徴とする表示装置。
【請求項８】
前記コンテンツは、該コンテンツ内に複数のフレームの左画像及び右画像を含み、前記第１のタイミング信号は、前記コンテンツに関連する前記左画像と前記右画像を切り換える時点に対応する、
ことを特徴とする請求項７に記載の表示装置。
【請求項９】
前記同期信号を受け取った場合、前記第１のタイミング信号に基づいて３−Ｄコンテンツ視聴装置に同期し、
前記同期信号を受け取らなかった場合、前記デフォルトタイミング信号に基づいて前記３−Ｄコンテンツ視聴装置に同期する、
ように構成されたシンクロナイザをさらに備える、
ことを特徴とする請求項７に記載の表示装置。
【請求項１０】
前記シンクロナイザは、前記同期信号を受け取らなかった場合、前記デフォルトタイミング信号に基づいて１又はそれ以上のコンテンツ視聴装置にメガネ制御信号を送信するようにさらに構成される、
ことを特徴とする請求項７に記載の表示装置。
【請求項１１】
前記受信機は、前記同期信号を受け取らなかった場合、メガネ制御信号を検出するようにさらに構成される、
ことを特徴とする請求項７に記載の表示装置。
【請求項１２】
前記コンテンツプロセッサは、前記同期信号を受け取らなかった場合、前記メガネ制御信号に基づいて前記第１のタイミング信号を決定するようにさらに構成される、
ことを特徴とする請求項１１に記載の表示装置。
【請求項１３】
前記シンクロナイザは、前記表示装置がマスター同期化装置として構成された場合、前記同期信号を生成して送信するようにさらに構成される、
ことを特徴とする請求項９に記載の表示装置。
【請求項１４】
複数の３−Ｄ表示装置が同期信号に従ってそれぞれのコンテンツを表示するために利用する前記同期信号を生成して送信するステップを含む、
ことを特徴とするコンピュータ実行方法。
【請求項１５】
前記同期信号を生成して前記複数の３−Ｄ表示装置に送信する少なくとも１つのマスター３−Ｄ表示装置を前記複数の３−Ｄ表示装置からさらに指定する、
ことを特徴とする請求項１４に記載のコンピュータ実行方法。
【請求項１６】
前記複数の３−Ｄ表示装置のうちの１つ又はそれ以上からの同期信号を求める要求に応答して、前記複数の３−Ｄ表示装置のうちの１つ又はそれ以上に前記同期信号を送信するステップをさらに含む、
ことを特徴とする請求項１４に記載のコンピュータ実行方法。
【請求項１７】
前記同期信号に関連するタイミング信号は、前記複数の３−Ｄ表示装置上に表示された前記それぞれのコンテンツの前記フレームに関連する左画像と右画像を切り換える時点及び切り換え速度に対応する、
ことを特徴とする請求項１４に記載のコンピュータ実行方法。
【請求項１８】
複数の３次元（３−Ｄ）画像表示装置を同期させるシステムであって、
同期信号を生成するように構成された同期化装置と、
複数の３Ｄ表示装置と、
を備え、前記複数の３Ｄ表示装置は、
前記同期信号を受け取った場合、前記同期信号に関連する第１のタイミング信号に従ってそれぞれのコンテンツを表示し、
前記同期信号を受け取らなかった場合、デフォルトタイミング信号に従って前記それぞれのコンテンツを表示する、
ように構成される、
ことを特徴とするシステム。
【請求項１９】
前記それぞれのコンテンツは、１又はそれ以上の左画像及び１又はそれ以上の右画像を含み、前記第１のタイミング信号及び前記デフォルトタイミング信号は、前記複数の３−Ｄ表示装置上に表示された前記それぞれのコンテンツに関連する前記１又はそれ以上の左画像と前記１又はそれ以上の右画像を切り換える時点及び切り換え速度に対応する、
ことを特徴とする請求項１８に記載のシステム。
【発明の詳細な説明】
【技術分野】
【０００１】
本開示のいくつかの実施形態は、３−Ｄ表示装置に関する。より詳細には、本開示のいくつかの実施形態は、複数の３次元（３−Ｄ）表示装置を同期させるための方法及び装置に関する。
【背景技術】
【０００２】
３次元（３−Ｄ）表示装置は、互いに視差がある２組の画像を表示画面上に同時に表示し、ユーザがこれらの２組の画像をそれぞれ左眼及び右眼を通して見て３Ｄ画像を知覚できるようにするものである。現在の３Ｄ表示技術は、視差がある複数組の画像を含めるために３Ｄビデオソースを必要とする。一般に、アクティブステレオ３Ｄ立体技術では、ユーザに対して３Ｄ効果を生み出すためにシャッターメガネが使用される。アクティブステレオ３Ｄ立体技術では、３次元（３−Ｄ）表示装置が、フレームの左画像及び右画像としてのビデオコンテンツを１秒間に２４、３０、４８又は６０フレームなどの所定の速度で交互に表示する。シャッターメガネは、ユーザが３−Ｄ画像を視聴できるようにするために、３−Ｄ表示装置上にしかるべきそれぞれの眼の画像が表示されている時に逆の眼に光が当たるのを遮る。このため、シャッターメガネの閉じる速度は、３−Ｄ表示装置のフレーム速度に同期する。さらに、３−Ｄ表示装置が左画像と右画像を切り換える速度は、シャッターメガネが左眼及び右眼を閉じる（切り換える）速度に同期する。
【発明の概要】
【発明が解決しようとする課題】
【０００３】
複数の３−Ｄ表示装置では、各３−Ｄコンテンツの左画像と右画像が異なる時点及び／又は異なる速度で切り換わることがある。従って、第１の３−Ｄ表示装置に関連するシャッターメガネが、同じ室内の他の３−Ｄ表示装置に同期していないことがある。このため、ユーザは、装着しているシャッターメガネに同期した３−Ｄ表示装置上の３−Ｄコンテンツしか見ることができない。従って、３−Ｄコンテンツ視聴装置を装着したユーザが、複数の３−Ｄ表示装置にわたるシームレスな３−Ｄ視聴体験を楽しめるように、複数の３−Ｄ表示装置を同期させることが必要とされている。
【課題を解決するための手段】
【０００４】
３−Ｄ表示装置を同期させるための装置及び方法を実質的に図の少なくとも１つに示し、及び／又はこれらの図に関連して説明し、特許請求の範囲にさらに完全に記載する。
【０００５】
全体を通じて同じ参照数字が同じ部分を示す添付図面と共に以下の本開示の詳細な説明を検討することにより、本開示のこれらの及びその他の特徴及び利点を理解することができる。
【図面の簡単な説明】
【０００６】
【図１】ある実施形態による、本開示を実施できるシステム環境のブロック図である。
【図２】ある実施形態による同期化装置のブロック図である。
【図３】ある実施形態による３−Ｄ表示装置のブロック図である。
【図４ａ】様々な実施形態による、同期化装置上で実施される方法を示す図である。
【図４ｂ】様々な実施形態による、同期化装置上で実施される方法を示す図である。
【図５】ある実施形態による、３−Ｄ表示装置を同期させるためのタイミング図である。
【図６】ある実施形態による、スレーブ３−Ｄ表示装置をマスター３−Ｄ表示装置に同期させるためのタイミング図である。
【発明を実施するための形態】
【０００７】
開示する実施形態は、本明細書に示す図面及び詳細な説明を参照することで最も良く理解することができる。以下、図を参照しながら様々な実施形態を説明する。しかしながら、当業者であれば、開示する方法及び装置は、説明する実施形態を越えて拡大するので、これらの図に関連して本明細書に示す詳細な説明は説明を目的とするものにすぎないと容易に理解するであろう。
【０００８】
用語の定義
３−Ｄコンテンツ：３−Ｄコンテンツは、視聴時に奥行きの錯覚を与えるコンテンツに対応する。３−Ｄコンテンツは、右画像及び左画像を含むビデオフレームで構成される。アクティブステレオ３−Ｄ技術では、シャッターメガネなどの３−Ｄ視聴装置を通じて３−Ｄコンテンツを視聴する場合、左画像が左眼に対して表示され、右眼に当たる光は遮られる。同様に、右画像が右眼に対して表示されている間、左眼は遮られる。このような右画像と左画像の切り換えによって視差が生じ、この視差が、表示される映像内に３−Ｄ深度の錯覚を生み出す。
【０００９】
タイミング信号：３−Ｄ表示装置が右画像と左画像を切り換える時点を意味する。さらに、２つの３−Ｄ表示装置が同じタイミング信号に従って動作する場合、この２つの装置における左画像と右画像の切り換え頻度及び時点（位相）は同じになる。例えば、第１の３−Ｄ表示装置が、１ｍｓ毎にかつ時点ｔ１において左画像と右画像を切り換える。第２の表示装置が、１ｍｓ毎にかつ時点ｔ１＋ｎミリ秒（ｎ＝０、１、２、３）において左画像と右画像を切り換える場合、この第２の表示装置は、第１の表示装置と同じタイミング信号に従って動作するようになる。
【００１０】
３−Ｄ表示装置：シャッターメガネで視聴する左眼用画像と右眼用画像を交互に表示することによって３−Ｄコンテンツを表示する装置を意味する。
【００１１】
同期化装置：同期信号を生成して１又はそれ以上の装置（３−Ｄ表示装置、ＤＶＤプレーヤ、及びＢｌｕ−ｒａｙディスクプレーヤなど）に送信する装置を意味する。この送信は、有線通信媒体又は無線通信媒体を介して行うことができる。
【００１２】
マスター表示装置：マスター表示装置は、３−Ｄ表示装置と、この３−Ｄ表示装置が使用するタイミング信号を生成している同期化装置とを含む装置に対応する。さらに、マスター装置は、１又はそれ以上のスレーブ表示装置に同期信号を送信する。
【００１３】
スレーブ表示装置：スレーブ表示装置は、外部の同期化装置からのタイミング信号に同期する３−Ｄ表示装置に対応する。ある実施形態では、スレーブ表示装置が同期化装置を含むこともできるが、外部の同期化装置からタイミング信号を受け取る。
【００１４】
同期信号：同期信号は、同期化装置により生成されて１又はそれ以上の他の装置に送信される信号に対応する。同期信号は、３−Ｄコンテンツを表示するためのタイミング信号を導出するための情報を含む。これらの１又はそれ以上の他の装置は、それぞれの３−Ｄコンテンツの表示を調整するために、同期信号を受け取り、これを利用してタイミング信号を決定する。同期化装置は、同期信号を定期的に又は要求に応答して送信することができる。
【００１５】
メガネ制御信号：シャッターメガネの同期を制御するためにシャッターメガネに送信される信号を意味する。ある実施形態では、３−Ｄ表示装置がメガネ制御信号を送信することができる。別の実施形態では、同期化装置がメガネ制御信号を送信することができる。１又はそれ以上の３−Ｄ表示装置は、メガネ制御信号をモニタして、検出されたメガネ制御信号に同期することができる。
【００１６】
本開示は、複数の３−Ｄ表示装置を同期させるための方法及び装置を提案するものである。同期化装置が、同期信号を生成して複数の３−Ｄ表示装置に送信する。複数の３−Ｄ表示装置の各々は、この同期信号を利用して、同期信号に関連するタイミング信号に従ってコンテンツを表示する。
【００１７】
図１は、ある実施形態による、本開示を実施できるシステム環境１００のブロック図である。システム環境１００は、複数の３−Ｄ表示装置１０２ａ、１０２ｂ、１０２ｃ及び１０２ｄ（以下、３−Ｄ表示装置１０２と呼ぶ）、複数の３−Ｄコンテンツ視聴装置１０４ａ、１０４ｂ及び１０４ｃ（以下、３−Ｄコンテンツ視聴装置１０４と呼ぶ）、通信媒体１０６、及び同期化装置１０８を含む。３−Ｄ表示装置（例えば、１０２ａ）は、メガネ制御信号１１０を送信するように構成される。同期化装置１０８は、同期信号（例えば、１１２ａ、１１２ｂ、１１２ｃ）を生成して送信する。システム環境１００は、３−Ｄ表示装置の１つ（例えば、１０２ｄ）に通信可能に結合された視覚検出器１１４をさらに含む。
【００１８】
３−Ｄ表示装置１０２は、３−Ｄコンテンツを表示して立体的な奥行きの知覚を伝えることができるコンピュータ又はマルチメディア装置に対応する。３−Ｄ表示装置の例としては、ラップトップ、テレビ（ＴＶ）、タブレットコンピュータ、デスクトップ、携帯電話機、プロジェクタ、及び３−Ｄコンテンツ表示能力を有するその他のこのような装置を挙げることができる。１つの実施形態では、３−Ｄ表示装置１０２が、サービスプロバイダ（図示せず）から３−Ｄコンテンツを受け取る。サービスプロバイダは、以下に限定されるわけではないが、デジタル地上波テレビ（ＤＴＶ）及びインターネットプロトコルテレビ（ＩＰＴＶ）などの様々なデジタル送信プロトコルに従って、３−Ｄコンテンツを集約して３−Ｄ表示装置１０２に送信することができる。別の実施形態では、３−Ｄ表示装置１０２が、ＤＶＤプレーヤ、ＣＤプレーヤ及びＵＳＢ記憶装置などの１又はそれ以上の３−Ｄコンテンツ再生装置から３−Ｄコンテンツを受け取ることができる。ある実施形態では、３−Ｄ表示装置１０２に内部表示能力がなく、３−Ｄ表示装置１０２の外部に表示画面を有することができる。例えば、３−Ｄ表示装置１０２は、内部表示能力がなくテレビ又はディスプレイ装置に３−Ｄコンテンツを送信できる、ＤＶＤプレーヤ、ＣＤプレーヤ、Ｂｌｕ−ｒａｙディスクプレーヤなどであってもよい。
【００１９】
３−Ｄコンテンツ視聴装置１０４（例えば、シャッターメガネ）は、３−Ｄ表示装置１０２の少なくとも１つ（１０２ａなど）に関連する。ある実施形態では、３−Ｄコンテンツ視聴装置１０４が、３−Ｄ表示装置１０２上に表示された画像に同期して光を通す液晶メガネを含むことができる。
【００２０】
ある実施形態では、通信媒体１０６が、システム環境１００の様々な構成要素（３−Ｄ表示装置１０２、複数の３−Ｄコンテンツ視聴装置１０４及び同期化装置１０８など）間にコンテンツ及びメッセージを流す媒体に対応する。通信媒体１０６は、表示装置１０２に又は表示装置１０２から様々な信号が伝播できるようにする１又はそれ以上のネットワークを含むことができる。例えば、１つの実施形態では、第１のネットワークを介して表示装置１０２にコンテンツが到着し、第２のネットワークによって同期化装置１０８から表示装置１０２に同期信号を運ぶことができる。このような第１のネットワークの例としては、ＩＰＴＶ、ＣＡＴＶ、ケーブルＴＶなどを挙げることができる。第２のネットワークの例としては、以下に限定されるわけではないが、Ｂｌｕｅｔｏｏｔｈネットワーク、赤外線ネットワーク、ワイヤレスフィディリティ（ＷｉＦｉ）ネットワーク、無線エリアネットワーク（ＷＡＮ）、ローカルエリアネットワーク（ＬＡＮ）又は都市圏ネットワーク（ＭＡＮ）を挙げることができる。システム環境１００内の様々な装置は、送信制御プロトコル及びインターネットプロトコル（ＴＣＰ／ＩＰ）、ユーザデータグラムプロトコル（ＵＤＰ）、２Ｇ、３Ｇ又は４Ｇ通信プロトコルなどの様々な有線及び無線通信プロトコルに従って通信媒体１０６に接続することができる。ある実施形態では、第１のネットワークと第２のネットワークが同じものであってもよい。ある実施形態では、通信媒体１０６が専用ネットワーク（有線又は無線）であってもよい。このような専用ネットワークは、同期化装置１０８により、或いはネットワークスイッチ又はルータなどの外部装置により形成することができる。このような専用ネットワークは、一般に同期化装置１０８及び３−Ｄ表示装置１０２を含むことができる。
【００２１】
ある実施形態では、同期化装置１０８が、同期信号を生成して３−Ｄ表示装置（例えば、１０２ａ及び１０２ｃ）に送信する。同期化装置１０８は、メガネ制御信号１１０を生成して３−Ｄコンテンツ視聴装置１０４に送信することもできる。様々な実施形態では、同期化装置１０８を、以下に限定されるわけではないが、セットトップボックス、遠隔制御装置、同期化サーバ、モバイル装置、ゲーム機、ゲームコントローラ、ルータ、ネットワークスイッチ及びあらゆるネットワーク装置などのポータブル装置に実装することができる。ある実施形態では、３−Ｄ表示装置１０２の１つ又はそれ以上が、同期化装置１０８を含むことができる。同期化装置１０８については、図２に関連して詳細に説明する。
【００２２】
いくつかの実施形態では、全ての左画像が同時に表示された後に全ての右画像が表示されることが同期化装置１０８によって保証されることを確実にするために、装置１０８が、左／右画像のための基準を必要とする。このような基準は、コンテンツに含めること又はコンテンツから抽出することができ、或いは外部検出器を使用してこのような基準を生成することもできる。この目的のために視覚検出器１１４を使用することができる。視覚検出器１１４は、非常に正確なタイミング情報を検出する一方で検出される視覚情報が限定されることがある高精度カメラなどの、いずれかの画像取り込み装置又はビデオ取り込み装置とすることができる。検出器１１４は、３−Ｄ表示装置１０２ａ又は１０２ｃを撮像して左／右の基準信号の導出を容易にするように配置される。ある実施形態では、視覚検出器１１４が、３−Ｄ表示装置（例えば、１０２ｄ）に結合される。視覚検出器１１４は、直接又はネットワーク１０６を介して同期化装置１０８に結合することもできる。検出器１１４、同期化装置１０８、又は表示装置１０２ｂのいずれかが、検出器の出力を分析して左／右の基準信号を決定する。表示装置１０２ｂ又は１０２ｃのコンテンツが同じものである場合、この分析により、視覚検出器１１４が捉えた画像を表示されている画像と一致させる。視覚検出器１１４によって取り込んだコンテンツが、同期すべき様々な表示装置１０２ｂ、１０２ｃ上に表示されるコンテンツと異なる場合、前景画像及び背景画像の分析を使用して、コンテンツ自体を知ることなくコンテンツ内の右画像及び左画像を決定することができる。
【００２３】
図２は、ある実施形態による同期化装置１０８のブロック図である。同期化装置１０８は、第１のクロック２０４、第１の送信機２０６、第１の受信機２０８及び第１の記憶装置２１０の各々に結合された第１のプロセッサ２０２を含む。第１のプロセッサ２０２は、第１の記憶装置２１０に記憶された命令セットを実行する。第１のプロセッサ２０２は、当業で周知のいくつかのプロセッサ技術を通じて実現することができる。第１のプロセッサ２０２の例としては、以下に限定されるわけではないが、Ｘ８６プロセッサ、ＲＩＳＣプロセッサ、ＡＳＩＣプロセッサ、ＣＳＩＣプロセッサ、ＡＲＭプロセッサ、又はその他のいずれかのプロセッサを挙げることができる。第１のプロセッサ２０２は、汎用コンピュータ装置の一部であってもよいが、命令の実行時には、この汎用コンピュータ装置が、命令により定められた（単複の）機能を実行する専用コンピュータ装置になる。
【００２４】
ある実施形態では、第１のクロック２０４が、３−Ｄ表示装置１０２（図１を参照）に送信する同期信号１１２ａを生成する。第１のクロック２０４は、水晶発振器及び位相ロックループ（ＰＬＬ）クロックなどの、当業で周知の様々な技術により実現することができる。
【００２５】
第１の送信機２０６は、システム環境１００の他の構成要素（３−Ｄ表示装置１０２など）に同期信号１１２ａを送信する。第１の送信機２０６の例としては、以下に限定されるわけではないが、アンテナ、イーサネットポート、ＨＤＭＩポート、ＵＳＢポート、又は同期信号を送信するように構成できるいずれかのポートを挙げることができる。第１の送信機２０６は、送信制御プロトコル及びインターネットプロトコル（ＴＣＰ／ＩＰ）、ユーザデータグラムプロトコル（ＵＤＰ）、２Ｇ、３Ｇ、４Ｇ、Ｂｌｕｅｔｏｏｔｈ、Ｚｉｇｂｅｅ、及び赤外線通信プロトコルなどの様々な通信プロトコルに従って同期信号を送信する。ある実施形態では、第１の送信機２０６が、複数の通信プロトコルを使用した送信をサポートするために複数の送信機を含むことができる。ある実施形態では、第１の送信機２０６が、有線又は無線技術を実装することができる。
【００２６】
第１の受信機２０８は、３−Ｄ表示装置１０２からの信号を受け取る。第１の受信機２０８は、送信制御プロトコル及びインターネットプロトコル（ＴＣＰ／ＩＰ）、ユーザデータグラムプロトコル（ＵＤＰ）、２Ｇ、３Ｇ、４Ｇ、Ｂｌｕｅｔｏｏｔｈ、Ｚｉｇｂｅｅ、赤外線通信プロトコル、ＤＶＤ、ＣＡＴＶ、及びケーブルＴＶなどの様々な通信プロトコルに従ってデータ及び／又は信号を受け取る。ある実施形態では、第１の受信機２０８が、有線又は無線技術を実装することができる。
【００２７】
第１の記憶装置２１０は、命令セット及びデータを記憶する。公知の記憶装置の実装の一部として、以下に限定されるわけではないが、ランダムアクセスメモリ（ＲＡＭ）、リードオンリメモリ（ＲＯＭ）、ハードディスクドライブ（ＨＤＤ）、及びセキュアデジタル（ＳＤ）カードを挙げることができる。第１の記憶装置２１０は、第１のプログラムモジュール２１２及び第１のプログラムデータ２１４を含む。第１のプログラムモジュール２１２は、同期化装置１０８上の特定の動作を行うために第１のプロセッサ２０２が実行できる命令セットを含む。第１のプログラムモジュール２１２は、同期化マネージャ２１６及び装置マネージャ２１８をさらに含む。第１のプログラムモジュール２１２内の様々なモジュールを別個のブロック内に示しているが、これらのモジュールの１つ又はそれ以上を、構成するモジュールの組み合わせ機能を実行する統合モジュールとして実装できると理解することができる。第１のプログラムデータ２１４は、装置データ２２０及び第１の同期データ２２２を含む。
【００２８】
同期化マネージャ２１６は、第１のクロック２０４をトリガして同期信号を生成する。別の実施形態では、同期化マネージャ２１６が、３−Ｄ表示装置１０２ａにより生成されたメガネ制御信号１１０を使用して同期信号１１２を生成することができる。別の実施形態では、同期化マネージャ２１６が、同期化装置１０８において受け取った３−Ｄコンテンツに基づいて同期信号１１２を生成する。
【００２９】
装置マネージャ２１８は、１又はそれ以上の３−Ｄ表示装置１０２の登録を管理する。ある実施形態では、装置マネージャ２１８が、登録装置に個別にＩＤを割り当て、これらの装置に同期信号１１２を送信するための情報（通信プロトコル、ペアリングキーなど）を保存する。このような情報は、装置データ２２０に記憶される。
【００３０】
同期化装置１０８は、ユーザによる構成、リセット動作、装置更新動作などの追加機能を可能にするための追加のハードウェア及びソフトウェア要素を含むことができると理解することができる。
【００３１】
図３は、ある実施形態による３−Ｄ表示装置１０２ａのブロック図である。３−Ｄ表示装置１０２ａは、第２のクロック３０４、第２の送信機３０６、第２の受信機３０８、表示画面３１０、及び第２の記憶装置３１２の各々に結合された第２のプロセッサ３０２を含む。図３を、図１及び図２に関連して説明する。
【００３２】
第２のプロセッサ３０２は、第２の記憶装置３１２に記憶された命令セットを実行する。第２のプロセッサ３０２は、当業で周知のいくつかのプロセッサ技術を通じて実現することができる。第２のプロセッサ３０２の例としては、以下に限定されるわけではないが、Ｘ８６プロセッサ、ＲＩＳＣプロセッサ、ＡＳＩＣプロセッサ、ＣＳＩＣプロセッサ、ＡＲＭプロセッサ、又はその他のいずれかのプロセッサを挙げることができる。第２のプロセッサ３０２は、汎用コンピュータ装置の一部であってもよいが、命令の実行時には、この汎用コンピュータ装置が、命令により定められた（単複の）機能を実行する専用コンピュータ装置になる。
【００３３】
ある実施形態では、第２のクロック３０４が、３−Ｄ表示装置１０２ａがそれぞれの３−Ｄコンテンツを調整するために利用するデフォルトタイミング信号を生成する。第２のクロック３０４は、水晶発振器及び位相ロックループ（ＰＬＬ）クロックなどの、当業で周知の様々な技術により実現することができる。
【００３４】
第２の送信機３０６は、システム環境１００の他の構成要素（３−Ｄコンテンツ視聴装置１０４、３−Ｄ表示装置１０２ｃなど）にデータ又は信号を送信する。第２の送信機３０６の例としては、以下に限定されるわけではないが、アンテナ、赤外線送信機、イーサネットポート、ＨＤＭＩポート、ＵＳＢポート、又は同期信号を送信するように構成できるいずれかのポートを挙げることができる。第２の送信機３０６は、送信制御プロトコル及びインターネットプロトコル（ＴＣＰ／ＩＰ）、ユーザデータグラムプロトコル（ＵＤＰ）、２Ｇ、３Ｇ、４Ｇ、Ｂｌｕｅｔｏｏｔｈ、Ｚｉｇｂｅｅ、及び赤外線通信プロトコルなどの様々な通信プロトコルに従ってデータ及び信号を送信する。ある実施形態では、第２の送信機３０６が、複数の通信プロトコルを使用した送信をサポートするために複数の送信機を含むことができる。ある実施形態では、第２の送信機３０６が、有線又は無線技術を実装することができる。
【００３５】
第２の受信機３０８は、コンテンツプロバイダから３−Ｄコンテンツを受け取る。第２の受信機３０８は、同期化装置１０８（図１を参照）から同期信号（例えば、１１２ｂ）を受け取る。第２の受信機３０８の例としては、以下に限定されるわけではないが、アンテナ、イーサネットポート、ＨＤＭＩポート、ＵＳＢポート、赤外線受信機、又は同期信号を受け取るように構成できるいずれかのポートを挙げることができる。第２の受信機３０８は、送信制御プロトコル及びインターネットプロトコル（ＴＣＰ／ＩＰ）、ユーザデータグラムプロトコル（ＵＤＰ）、２Ｇ、３Ｇ及び４Ｇ通信プロトコルなどの様々な通信プロトコルに従って同期信号を受け取る。
【００３６】
ある実施形態では、表示画面３１０が、３−Ｄコンテンツ又はユーザインターフェイスを表示することができる。表示画面３１０は、ブラウン管（ＣＲＴ）式ディスプレイ、液晶ディスプレイ（ＬＣＤ）、発光ダイオード（ＬＥＤ）式ディスプレイ、有機ＬＥＤディスプレイ技術、及びＲｅｔｉｎａディスプレイ技術などの複数の既知の技術を通じて実現することができる。さらに、表示画面３１０を、ユーザ入力を受け取るタッチ画面とすることもできる。別の実施形態では、表示画面をプロジェクタとすることができる。ある実施形態では、表示画面３１０が、３−Ｄ表示装置１０２ａの外部に存在することができる。このような実施形態では、表示装置１０２が、表示画面又は表示装置に３−Ｄコンテンツを同期信号１１２ｂと共に出力することにより、受信側装置が、対応するタイミング信号を使用してコンテンツを表示できるようにする。例えば、Ｂｌｕ−ｒａｙディスクプレーヤは、他の３−Ｄ表示装置（例えば、１０２ｂ、１０２ｃ）と合致するようにタイミング信号を設定し、３−Ｄレンダリング装置又はテレビに出力する信号にこのタイミング信号を含めることができる。
【００３７】
第２の記憶装置３１２は、同期化装置１０８内の第１の記憶装置２１０と同様に実装することができる。第２の記憶装置３１２は、第２のプログラムモジュール３１４及び第２のプログラムデータ３１６を含む。第２のプログラムモジュール３１４は、通信マネージャ３１８、コンテンツプロセッサ３２０、シンクロナイザ３２２及びユーザインターフェイス３２４を含む。第２のプログラムデータ３１６は、第２の同期データ３２６、ユーザデータ３２８及びコンテンツデータ３３０を含む。
【００３８】
通信マネージャ３１８は、３−Ｄディスプレイ装置１０２と同期化装置１０８の間に接続を確立し、及び／又はこれを維持することができる。さらに、通信マネージャ３１８は、３−Ｄ表示装置１０２と少なくとも１つの３−Ｄコンテンツ視聴装置（１０４ａなど）との間の通信を管理する。通信マネージャ３１８は、コンテンツプロバイダからの３−Ｄコンテンツの受け取りも管理する。ある実施形態では、通信マネージャ３１８が、同期化装置１０８からの同期信号１１２の受け取りも管理する。別の実施形態では、通信マネージャ３１８が、同期信号１１２ｂが受け取られなかった場合にあらゆるメガネ制御信号をモニタする。通信マネージャ３１８は、外部装置（例えば、視覚検出器１１４）からの画像データ又はビデオフィードの受け取りをさらに管理する。
【００３９】
コンテンツプロセッサ３２０は、コンテンツプロバイダから受け取った３−Ｄコンテンツを処理する。コンテンツプロセッサ３２０は、３−Ｄコンテンツを表示する前に、ビデオコンテンツ信号を復号してフレームの左画像及び右画像をコンテンツデータ３３０にバッファ処理する。さらに、コンテンツプロセッサ３２０は、左画像及び右画像を表示画面３１０上に交互に表示する。コンテンツプロセッサ３２０は、所与のタイミング信号及び切り換え速度に基づいて、左画像及び右画像をバッファから交互に取り出して表示する。例えば、コンテンツプロセッサ３２０は、同期信号１１２ｂから、左画像と右画像を切り換える時点及び速度を決定する。
【００４０】
シンクロナイザ３２２は、決定されたタイミング信号を抽出し、第２の同期データ３２６として記憶する。
【００４１】
ある実施形態では、ユーザインターフェイス３２４が、表示画面３１０上にユーザインターフェイスを提示する。このユーザインターフェイスは、１又はそれ以上の入力装置（図示せず）を介して、３−Ｄ表示装置１０２ａに関連する１又はそれ以上の設定を変更するためのユーザ入力を受け取ることができる。ある実施形態では、この１又はそれ以上の設定が、以下に限定されるわけではないが、輝度、色、コントラストなどに対応することができる。さらに、ユーザインターフェイスは、全てのユーザ関連データ及びユーザ設定をユーザデータ３２８として記憶する。ある実施形態では、３−Ｄ表示装置１０２ａにとってユーザインターフェイスが任意である。
【００４２】
ある実施形態では、３−Ｄ表示装置１０２が、同期化装置１０８を含む。このような実施形態では、３−Ｄ表示装置１０２を、同期化装置１０８の機能の一部又は全部を実行するマスター装置として機能するように構成することができる。例えば、３−Ｄ表示装置１０２ａが、同期化装置１０８を含むことができる。３−Ｄ表示装置１０２ａは、同期信号１１２ａを生成して送信することができる。このような実施形態では、３−Ｄ表示装置１０２ａが、他の３−Ｄ表示装置（例えば、１０２ｂ及び１０２ｃ）に同期信号１１２ａを送信する。さらに、３−Ｄ表示装置１０２ａは、同期信号１１２ａに基づいてメガネ制御信号１１０を生成して送信することもできる。
【００４３】
ある実施形態では、シンクロナイザ３２２が、他の３−Ｄ表示装置１０２ｃが１又はそれ以上の３−Ｄコンテンツ視聴装置１０４に送信するメガネ制御信号を傍受することにより、別の３−Ｄ表示装置（例えば、１０２ｃ）に同期することができる。さらに別の実施形態では、シンクロナイザ３２２が、視覚検出器１１４からのビデオフィードを処理して、別の３−Ｄ表示装置（例えば、１０２ｃ）に関連するタイミング信号を決定することができる。このようなビデオフィードは、３−Ｄ表示装置１０２ａが同期化のために利用できる、他の３−Ｄ表示装置に関連するタイミング情報を含む。
【００４４】
図４ａは、同期化装置１０８内で実施される、同期信号生成方法４００のフローチャートである。このフローチャート４００を、図１、図２及び図３に関連して説明する。ステップ４０２において、同期化マネージャ２１６が、第１のクロック２０４をトリガして同期信号を生成する。ある実施形態では、同期化マネージャ２１６が、同期信号１１２ａの生成前に、第１の受信機２０８を介してコンテンツプロバイダから３−Ｄコンテンツを受け取ることができる。同期化マネージャ２１６は、この３−Ｄコンテンツに関連するタイミング信号を抽出することができ、すなわち左右の画像表示に関するタイミング情報を抽出することができる。このような実施形態は、３−Ｄ表示装置（１０２ａ、１０２ｂ、１０２ｃ、１０２ｄ）が同じ３−Ｄコンテンツを表示する場合に実装することができる。ある実施形態では、同期化マネージャ２１６が３−Ｄ表示装置１０２の外部に存在する場合、同期化マネージャ２１６が、３−Ｄコンテンツに関わらず同期信号１１２ａを生成する。さらに別の実施形態では、同期化マネージャ２１６が、第１の受信機２０８を通じてメガネ制御信号１１０をモニタする。同期化マネージャ２１６は、このメガネ制御信号１１０に基づいて、第１のクロック２０４をトリガして同期信号１１２ａを生成する。ある実施形態では、同期信号１１２ａが、３−Ｄコンテンツの左画像と右画像のタイミング信号及び／又はフレームレート（これらの画像の切り換え速度）を示すことができる。同期信号１１２ａについては、図５に関連して後述する。
【００４５】
ステップ４０４において、同期化マネージャ２１６が、通信媒体１０６を介して３−Ｄ表示装置１０２に同期信号１１２ａを送信する。別の実施形態では、同期化マネージャ２１６が、同期信号１１２ａに基づいて３−Ｄコンテンツ視聴装置１０４にメガネ制御信号１１０を送信する。ある実施形態では、第１の送信機２０６が、専用同期線又はＵＤＰマルチキャストを介して同期信号を送信することができる。
【００４６】
ステップ４０６において、同期化マネージャ２１６が、所定の時間にわたって待機し、再び３−Ｄ表示装置１０２に同期信号を送信する。例えば、同期化マネージャ２１６は、表示装置１０２に１秒毎に同期信号を送信する。ある実施形態では、同期化装置１０８の製造中に、同期信号の送信期間を事前に定めることができる。別の実施形態では、同期化マネージャ２１６が、同期信号を連続して送信することができる。ある実施形態では、同期化マネージャ２１６が、デイジーチェーン信号送信に従って３−Ｄ表示装置１０２に同期信号を送信する。例えば、同期化装置１０８が、３−Ｄ表示装置１０２ａに同期信号を送信する。３−Ｄ表示装置１０２ａは、この同期信号を３−Ｄ表示装置１０２ｂに中継し、以下同様に中継が行われる。
【００４７】
図４ｂは、同期化装置１０８内で実施される、別の同期信号生成方法４０１のフローチャートである。ステップ４０８において、同期化マネージャ２１６が、第１のクロック２０４をトリガして同期信号１１２ａを生成する。
【００４８】
ステップ４１０において、同期化マネージャ２１６は、３−Ｄ表示装置からの到来する同期要求を待つ。ある実施形態では、３−Ｄ表示装置（第２の送信機３０６）が、同期信号を求める要求を送信する。装置マネージャ２１８は、このような要求を管理し、装置データ２２０に記憶されたそれぞれの装置ＩＤにこれらの要求をマップする。
【００４９】
ステップ４１２において、同期化マネージャ２１６は、同期信号１１２ａを送信することにより、到来した要求に応答する。ある実施形態では、同期化マネージャ２１６が、ＴＣＰ／ＩＰ又はＢｌｕｅｔｏｏｔｈ通信プロトコルを使用して同期信号１１２ａを送信する。なお、３−Ｄ表示装置は、同期信号（例えば、１１２ａ、１１２ｂ、１１２ｃなど）を受け取れるように同期化装置１０８に登録することができる。このような登録中、３−Ｄ表示装置１０２及び同期化装置１０８は、同期信号のユニキャスト送信が可能になるように、様々な通信プロトコルを使用してペアになることができる。１又はそれ以上の３−Ｄ表示装置の同期化処理については、図５に関連して詳細に説明する。
【００５０】
１又はそれ以上の３−Ｄ表示装置は、同期化装置１０８の装置マネージャ２１８に同期を求める要求を送信する。ある実施形態では、この要求が、１又はそれ以上の３−Ｄ表示装置により要求が生成された時点のタイムスタンプを含む。装置マネージャ２１８は、このタイムスタンプを分析して通信媒体１０６のネットワークラグを判断する。例えば、１又はそれ以上の３−Ｄ表示装置が、ｔ＝ｔ1において要求を生成する。装置マネージャ２１８が、ｔ＝ｔ2において要求を受け取る。装置マネージャは、要求が生成された時点と要求を受け取った時点を比較して、通信媒体１０６がｔ2−ｔ1のラグを有すると判断する。同期化マネージャ２１６は、伝播遅延が補償されて、３−Ｄ表示装置がネットワークラグに関わらずに同期し続けることを確実にするために、表示装置にフレーム切り換えをｔ2−ｔ1秒だけオフセットさせる同期信号を生成して送信する。
【００５１】
当業者であれば、同期化マネージャ２１６が同期信号を定期的に送信しないシナリオにおいてもステップ４０８〜４１２が実行されると理解するであろう。ある実施形態では、同期信号の連続送信中には、ネットワークラグの補償を必要としなくてよい。
【００５２】
図５は、ある実施形態による、３−Ｄ表示装置１０２ｂを同期させるためのタイミング図５００である。このタイミング図５００を、図１及び図２に関連して説明する。タイミング図５００には、同期化装置１０８により送信される例示的な同期信号１１２ａを示す波形５０２（以下、「同期信号」と呼ぶ）を示している。図示のように、時点ｔ１〜ｔ３の間に波形５０２が送信されている。さらに、図４ａを参照して説明したように、同期化装置１０８は、再び同期信号５０２を送信する前に、所定の時間にわたって待機する。図示のように、時点ｔ3〜ｔ8の間には、同期信号５０２が送信されず又は通信媒体１０６内に存在しない。（図４ａのステップ４０６における）所定の時間は、ｔ8−ｔ3である。
【００５３】
３−Ｄ表示装置１０２ｂは、同期信号５０２を受け取るまでは、同期情報を全く有していない。３−Ｄ表示装置１０２ｂは、起動時、すなわち時点ｔ４において、現在のフレームに対応する左画像５０８ｂの表示を開始する。この時点では、３−Ｄ表示装置１０２ｂは、同期情報を全く有していない。３−Ｄ表示装置１０２ｂは、通常であれば他方の眼向けの画像に遷移するであろう時点ｔ5’において、同じ眼向けの左画像５０８ｂを表示し続けている。３−Ｄ表示装置１０２ｂは、その固有のタイミング信号下であれば次のフレームに遷移するであろう時点ｔ6’において、現在表示している画像と同じ眼向けの次のフレームの画像（すなわち、次のフレームの左画像５０８ｃ）を表示する。３−Ｄ表示装置１０２ｂは、同期信号５０２を受け取る時点ｔ8において、同期信号５０２のタイミングに対応する画像に遷移する。従って、３−Ｄ表示装置１０２ｂは、ｔ8において同期信号５０２に同期する。３−Ｄ表示装置１０２ｂは、同期信号５０２が受け取られるまで（ｔ4〜ｔ8）、一方の眼向けの画像（左画像など）しか表示しない。これにより、ユーザが見ているコンテンツのゴースト発生が防がれ、ゴーストを生じた３−Ｄ画像ではなく２−Ｄでコンテンツが体験される。図５には、既に同期信号５０２に同期していた３−Ｄ表示装置１０２ａが表示するフレームも示している。
【００５４】
別の実施形態では、３−Ｄ表示装置１０２ｂが、時点ｔ8までに画像５０８の復号を終えていない場合、ｔ8〜ｔ9の間に左画像５０８ｃを表示し続けることができる。たとえ表示装置が復号するコンテンツフレームにラグがあり、１つの（又はそれ以上の）フレームが１０２ａに遅れて表示されている場合でも、左眼向けの画像と右眼向けの画像の表示については、１０２ｂと１０２ａの間で同じように同期がなされ、シャッターメガネを装着している人物は、両方の表示から正しい３−Ｄ効果を視聴することができる。或いは、１０２ｂが、１０２ａが表示しているコンテンツとは無関係のコンテンツを表示している（例えば、２つの別個のスポーツの試合が表示されている）こともある。
【００５５】
なお、３−Ｄ視聴装置が閉じる頻度は、多くの場合３−Ｄコンテンツのフレーム速度よりも高い。このような場合、フレーム毎にそれぞれの眼向けの画像が複数回表示されるようになる。例えば、３−Ｄ表示装置１０２ｂは、５０８ａ、５１０ａ、５０８ｂ、５１０ｂ．．．の順番で画像を表示する代わりに、５０８ａ、５１０ａ、５０８ａ、５１０ａ、５０８ｂ、５１０ｂ、５０８ｂ、５１０ｂ、．．．又は５０８ａ、５１０ａ、５０８ａ、５１０ａ、５０８ａ、５１０ａ、５０８ａ、５１０ａ、５０８ｂ、５１０ｂ、５０８ｂ、５１０ｂ、５０８ｂ、５１０ｂ、５０８ｂ、５１０ｂの順番で画像を表示することができる。
【００５６】
図６は、ある実施形態による、スレーブ３−Ｄ表示装置１０２ｂをマスター３−Ｄ表示装置１０２ａに同期させるためのタイミング図６００である。このタイミング図６００を、図３及び図５に関連して説明する。
【００５７】
タイミング図６００は、同期信号５０２、及び（３−Ｄ表示装置１０２ｂに固有の）デフォルト同期信号６０２を含む。３−Ｄ表示装置１０２ａは、同期信号５０２に関連する第１のタイミング信号に従って３−Ｄコンテンツを表示する。一方、第２の３−Ｄ表示装置１０２ｂは、デフォルト同期信号６０２に関連する第２のタイミング信号に従って３−Ｄコンテンツを表示する。例えば、第１の３−Ｄ表示装置１０２ａは、時点ｔ1〜ｔ2の時間に左フレーム６０４ａを表示する。第２の３−Ｄ表示装置１０２ｂは、時点ｔ’1〜ｔ3の間、左画像６０４ａを表示する。３−Ｄ表示装置１０２ｂは、この時点まで同期信号を全く受け取っていないので、時点ｔ’1〜ｔ3の間、現在のフレームの左画像６０４ａを表示し続ける。
【００５８】
３−Ｄ表示装置１０２ｂは、時点ｔ3において同期信号５０２を受け取る。３−Ｄ表示装置１０２ｂのシンクロナイザ３２２は、その内部タイミング信号（第２のタイミング信号）と、同期信号５０２に関連する第１のタイミングとの間の差分を求める。ある実施形態では、シンクロナイザ３２２内のデジタル位相ロックループが、第２の表示装置１０２ｂの第１のタイミング信号とデフォルトタイミング信号との間の位相差を求めることができる。このようなデジタル位相ロックループは、位相差がゼロに減少するように信号間のタイミングを調整する。３−Ｄ表示装置１０２ｂのコンテンツプロセッサ３２０は、時点ｔ’2〜ｔ3の時間中、左画像６０４ａを表示し続ける。その後、同期信号５０２に従って、次のフレームの次の左画像（６０４ｂ）及び右画像（６０６ｂ）が表示される。従って、スレーブ３−Ｄ表示装置１０２ｂは、時点ｔ3からマスター３−Ｄ表示装置１０２ａに同期する。
【００５９】
開示する実施形態のいくつかは、例えば、複数の３−Ｄ表示装置を備えたスポーツバー又は店内で実施することができる。これらの３−Ｄ表示装置の各々は、異なる３−Ｄコンテンツを異なるタイミング信号で表示することができる。さらに、３−Ｄ表示装置の各々は、少なくとも１つの関連する３−Ｄコンテンツ視聴装置を有することができる。３−Ｄ表示装置の各々は、少なくとも１つの３−Ｄコンテンツ視聴装置を利用してそれぞれの３−Ｄ表示装置上で３−Ｄコンテンツを視聴できるように、同じタイミング信号に従ってそれぞれの３−Ｄコンテンツを表示する。複数の３−Ｄコンテンツ視聴装置の各々は、同期信号から導出される共通のタイミング信号に同期して動作する。このような３−Ｄコンテンツ視聴装置、すなわちシャッターメガネのユーザは、複数の３−Ｄ表示装置を視聴しながらシームレスな３−Ｄ視聴体験を楽しむことができる。
【００６０】
別の実施形態では、３−Ｄ表示装置１０２の少なくとも１つが同期化装置１０８を含む。このような実施形態では、この３−Ｄ表示装置がマスター装置として機能することができる。ある実施形態では、少なくとも１つの３−Ｄ表示装置内のユーザインターフェイス３２４が、この３−Ｄ表示装置をマスター装置として構成するための入力をユーザから受け取ることができる。（この３−Ｄ表示装置内の）同期化装置１０８は、同期信号を生成する。さらに、この同期化装置１０８は、他の３−Ｄ表示装置に同期信号を送信する。
【００６１】
例えば、スポーツバーに複数の３−Ｄ表示装置を設置することができる。３−Ｄ表示装置１０２の各々は、通信媒体１０６を介して同期化装置１０８と通信することができる。さらに、３−Ｄ表示装置の各々は、Ｂｌｕｅｔｏｏｔｈ、ＮＦＣ及びＩＲなどの様々な通信プロトコルに従って互いに通信することができる。同期化装置１０８は、これらの３−Ｄ表示装置１０２の（内部に同期化装置１０８が統合された）少なくとも１つをマスター表示装置として構成する。マスター表示装置は、同期信号を生成してスレーブ３−Ｄ表示装置に送信する。
【００６２】
いくつかのシナリオでは、スレーブ３−Ｄ表示装置のいくつかが、限定するわけではないが、マスター３−Ｄ表示装置又は同期化装置１０８からの距離などの１又はそれ以上の理由によって同期信号を受け取れないことがある。通常、このようなシナリオは、同期化装置１０８が無線媒体を介して同期信号を送信する際に生じることがある。このような場合、同期信号を受け取らない３−Ｄ表示装置は、デフォルトタイミング信号に従って３−Ｄコンテンツを表示することができる。ある実施形態では、間隔を空けた又はスポーツバー内に設置された数多くの３−Ｄ表示装置を有線ネットワーク接続によってカバーすることができる。別の実施形態では、１又はそれ以上の信号リピータを設置して、同期化装置１０８のカバー範囲外の３−Ｄ表示装置に同期信号を中継することができる。別の実施形態では、スポーツバー内に複数の同期化装置１０８を設置することができる。このような実施形態では、同期化装置の１つがマスター同期化装置として機能し、他の同期化装置がスレーブ同期化装置として機能することができる。
【００６３】
本説明において説明したような開示した方法及びシステム、又はその構成要素の一部は、コンピュータシステムの形で実現することができる。コンピュータシステムの典型的な例としては、以下に限定されるわけではないが、汎用コンピュータ、プログラム式マイクロプロセッサ、マイクロコントローラ、周辺集積回路要素、及び本開示の方法を構成するステップを実施できるその他の装置又は装置構成が挙げられる。本明細書で開示した実施形態は、実行可能ソフトウェアとして実装されるように説明しているが、ハードウェア、又はハードウェアとソフトウェアを組み合わせたものにも実装することができる。
【００６４】
これらのコンピュータシステムは、コンピュータ、入力装置、ディスプレイユニット及びインターネットを含む。コンピュータは、マイクロプロセッサをさらに含む。マイクロプロセッサは、通信バスに接続される。コンピュータは、メモリも含む。メモリは、ランダムアクセスメモリ（ＲＡＭ）又はリードオンリメモリ（ＲＯＭ）とすることができる。コンピュータシステムは、ハードディスクドライブ、又はフロッピーディスクドライブ、光学ディスクドライブなどの取り外し可能記憶ドライブとすることができる記憶装置をさらに含む。記憶装置は、コンピュータプログラム又はその他の命令をコンピュータシステムにロードするための他の同様の手段であってもよい。コンピュータシステムは、通信ユニットも含む。コンピュータは、この通信ユニットにより、入力／出力（Ｉ／Ｏ）インターフェイスを介して他のデータベース及びインターネットに接続して、他のデータベースからのデータの転送及び受信を可能にすることができる。通信ユニットは、コンピュータシステムがデータベースに、並びにＬＡＮ、ＭＡＮ、ＷＡＮ及びインターネットなどのネットワークに接続できるようにする、モデム、イーサネットカード又は他のいずれかの同様の装置を含むことができる。コンピュータシステムは、システムがＩ／Ｏインターフェイスを介してアクセスできる入力装置を通じて、顧客からの入力を容易にする。
【００６５】
コンピュータシステムは、入力データを処理するために、１又はそれ以上の記憶要素に記憶された命令セットを実行する。記憶要素は、必要に応じてデータ又はその他の情報を保持することもできる。記憶要素は、処理機械内に存在する情報ソース又は物理的記憶素子の形をとることができる。
【００６６】
プログラム可能命令又はコンピュータ可読命令は、本開示の方法を構成するステップなどの特定のタスクを実行するように処理機械に命令する様々なコマンドを含むことができる。説明した方法及びシステムは、ソフトウェアプログラムのみを使用して実装することも、又はハードウェアのみを使用して実装することも、或いはこれらの２つの技術の様々な組み合わせによって実装することもできる。本開示は、使用するプログラミング言語及びコンピュータのオペレーティングシステムに左右されるものではない。本開示の命令は、以下に限定されるわけではないが、「Ｃ」、「Ｃ＋＋」、「ビジュアルＣ＋＋」及び「ビジュアルベーシック」を含む全てのプログラミング言語で書くことができる。さらに、ソフトウェアは、本開示に示すように、別個のプログラム、より大きなプログラムを含むプログラムモジュール、又はプログラムモジュールの一部が集まった形をとることができる。ソフトウェアは、オブジェクト指向プログラムの形のモジュラープログラムを含むこともできる。処理機械による入力データの処理は、顧客コマンド、以前の処理の結果、又は別の処理機械による要求に応答して行うことができる。本開示は、以下に限定されるわけではないが、「Ｕｎｉｘ」、「ＤＯＳ」、「Ａｎｄｒｏｉｄ」、「Ｓｙｍｂｉａｎ」及び「Ｌｉｎｕｘ」を含む全てのオペレーティングシステム及びプラットフォームに実装することができる。
【００６７】
プログラム可能命令は、コンピュータ可読媒体に記憶して送信することができる。プログラム可能命令は、搬送波を介してデータ信号により送信することもできる。本開示は、上記の方法及びシステム、又はこれらの数多くの考えられる変種を実装できる、コンピュータ可読媒体を含むコンピュータプログラム製品内に具体化することができる。
【００６８】
様々な実施形態を図示し説明したが、本開示がこれらの実施形態のみに限定されるものでないことは明らかであろう。当業者には、特許請求の範囲に示す本発明の思想及び範囲から逸脱することなく、数多くの修正、変更、変形、置換及び同等物が明らかになるであろう。
【図１】
2014116942.tif 000002
【図２】
2014116942.tif 000003
【図３】
2014116942.tif 000004
【図４ａ】
2014116942.tif 000005
【図４ｂ】
2014116942.tif 000006
【図５】
2014116942.tif 000007
【図６】
2014116942.tif 000008
【外国語明細書】
2014116942000001.pdf